(57)【要約】【課題】セラミックス基板に金属膜を積層した積層セラミックス基板を分断すること。【解決手段】積層セラミックス基板１０の金属膜１２にパターニングツールを用いてスクライブ予定ラインに沿って溝加工を行う。そして金属膜１２側の溝１２ａよりスクライブ装置によってセラミックス基板１１にスクライブラインを形成する。そしてセラミックス基板１１側の面よりスクライブラインに沿ってブレイクする。こうすることによって、積層セラミックス基板１０を完全に分断することができる。【選択図】図３
2014067859.tif 000002
【特許請求の範囲】
【請求項１】
セラミックス基板に金属膜が積層された積層セラミックス基板の分断方法であって、
前記セラミックス基板のスクライブ予定ラインに沿って金属膜に対しパターニングツールで溝加工を行い、
前記金属膜の面より金属膜が取り去られた溝に沿って前記セラミックス基板に対してスクライビングホイールを転動させてスクライブを行い、
前記積層セラミックス基板のスクライブラインに合わせてブレイクする積層セラミックス基板の分断方法。
【請求項２】
前記セラミックス基板のスクライブは、スクライビングホイールを用いたスクライブである請求項１記載のブレイク方法。
【発明の詳細な説明】
【技術分野】
【０００１】
本発明はセラミックス基板に金属膜を積層した積層セラミックス基板の分断方法に関するものである。
【背景技術】
【０００２】
従来セラミックス基板に金属膜を積層した積層セラミックス基板を分断する場合には、ダイシングソー等を用いて分断することが多かった。又特許文献１にはセラミックス基板をスクライブした後に金属層を接合し、エッチングによりスクライブラインの金属層を除去した後ブレイクするセラミックス接合基板の製造方法が提案されている。
【先行技術文献】
【特許文献】
【０００３】
【特許文献１】特開２００９−２５２９７１号公報
【発明の概要】
【発明が解決しようとする課題】
【０００４】
前述した特許文献１ではセラミックス基板に金属薄膜を積層する前にスクライブする必要があり、既に積層された積層セラミックス基板を分断するものではないという問題点があった。
【０００５】
又積層された積層セラミックス基板を分断するために、図１（ａ）に示すようにセラミックス基板１０１に金属膜１０２を積層した積層基板１００をスクライブしてブレイクする場合について説明する。まず図１（ｂ）に示すようにセラミックス基板１０１の面にスクライビングホイール１０３でスクライブし、図１（ｃ）に示すようにセラミックス基板１０１側からブレイクバー１０４で押圧してブレイクする。この場合にはセラミックス基板１０１は分離できても金属膜１０２は分離されないため、図１（ｄ）に示すようにブレイクを施しても金属膜１０２が分離されずに残存してしまい、完全な分断ができないという問題点があった。
【０００６】
又他の方法として図２（ａ），（ｂ）に示すように、積層セラミックス基板１００のうち、金属膜１０２の面にスクライビングホイール１０３を用いてスクライブを施す。次いで図２（ｃ）に示すようにブレイクバー１０４を用いて積層セラミックス基板を分断しようとしても、金属膜１０２には十分な垂直クラックが形成されておらず、セラミックス基板１０１側には垂直クラックが生じていない。そのためブレイクすることは難しく、分離できなかったり、図２（ｄ）に示すようにスクライブライン通り分離されることがないという問題点があった。
【０００７】
本発明はこのような問題点に鑑みてなされたものであって、セラミックス基板に金属膜を積層した積層セラミックス基板を完全に分断し個別化できるようにすることを目的とする。
【課題を解決するための手段】
【０００８】
この課題を解決するために、本発明の積層セラミックス基板の分断方法は、セラミックス基板に金属膜が積層された積層セラミックス基板の分断方法であって、前記セラミックス基板のスクライブ予定ラインに沿って金属膜に対しパターニングツールで溝加工を行い、前記金属膜の面より金属膜が取り去られた溝に沿って前記セラミックス基板に対してスクライビングホイールを転動させてスクライブを行い、前記積層セラミックス基板のスクライブラインに合わせてブレイクするものである。
【０００９】
ここで前記セラミックス基板のスクライブは、スクライビングホイールを用いたスクライブとしてもよい。
【発明の効果】
【００１０】
このような特徴を有する本発明によれば、セラミックス基板に金属膜を積層した積層セラミックス基板をスクライブ予定ラインに沿って溝加工を行い、金属膜を帯状に取り去る。そして取り去った金属膜の溝からセラミックス基板をスクライブし、その後積層セラミックス基板を反転させてブレイクしている。このため金属膜の剥離を回避することができ、所望の形状に完全に分断し個別化することができ、端面精度を向上させることができるという効果が得られる。
【図面の簡単な説明】
【００１１】
【図１】図１は積層セラミックス基板のセラミックス基板側よりスクライブ及びブレイクする場合の分断処理を示す図である。
【図２】図２は積層セラミックス基板の金属膜側よりスクライブしブレイクする際の状態を示す図である。
【図３】図３は本発明の実施の形態による積層セラミックス基板の分断処理を示す図である。
【図４】図４は本発明の実施の形態による積層セラミックス基板の分断処理を示す図である。
【図５】図５は本実施の形態で用いる金属膜の溝加工を用いるパターニングツールを示す図である。
【発明を実施するための形態】
【００１２】
図３（ａ）はセラミックス基板１１に金属膜１２を施した分断の対象となる積層セラミックス基板（以下、単に積層基板という）１０を示す図である。ここでセラミックス基板１１はＬＴＣＣ基板であってもよく、アルミナや窒化アルミ、チタン酸バリウム、窒化珪素等のセラミックス基板であってもよい。又金属膜１２はニッケル、銀、金、銅及び白金等の薄膜であり、例えば膜厚が１０〜２０μｍとする。このとき金属膜１２は何らかのパターンが形成されているものであってもよい。このような積層基板１０を所定のパターンで分断する場合に、まず図３（ｂ）に示すようにセラミックス基板１１側よりスクライブを予定するラインに沿って、一定の幅で金属膜１２をパターニングツールで除去する。この金属膜の除去は例えば太陽電池の溝加工ツールとして用いられるスクライブ装置、例えば特開２０１１−２１６６４６号のスクライブ装置を用いて金属膜１２の一部を直線状にパターニングツール１３を用いて除去する。このときの断面図を図３（ｃ）に示す。この溝１２ａの幅は例えば２５〜２００μｍの幅とする。このときのパターニングツール１３は図５（ａ）に示すように円錐台形状のツールであってもよい。又図５（ｂ）に示すように刃先が角柱状のツールであってもよく、更には図５（ｃ）に示すように角柱状の左右を切り欠いた形状のものであってもよい。又ツールの先端だけでなく全体も角柱状であってもよい。
【００１３】
そして形成された金属膜１２の面から金属膜を取り去った帯状の溝１２ａの内側のセラミックス基板１１に対してスクライブを行う。このスクライブは図示しないスクライブ装置によってスクライビングホイール１４を一定の荷重で押圧し転動させてクラックを垂直に浸透させるようにスクライブラインＳ１を形成する。このスクライブに用いるスクライビングホイールは、高浸透のスクライブが可能なものを用いることが好ましい。例えば日本国特許文献３０７４１４３号に示されているように、円周面に所定間隔を隔てて多数の溝を形成し、その間を突起として高浸透型としたスクライビングホイールが提案されている。
【００１４】
次いで図４（ｅ）に示すように、積層基板１０を反転させ、ブレイク装置の一対の支持部材１５，１６の上面にテープ１７を配置し、支持部材１５，１６の中間にスクライブラインが位置するように積層基板１０を配置する。そしてその上部よりスクライブラインＳ１に沿ってブレイクバー１８を押し下げてブレイクする。こうすれば図４（ｆ）に示すように、積層基板をスクライブラインに沿って完全に分断することができ、端面精度を向上させることができる。この積層セラミックス基板の分断を格子状に行うことによって個別の積層基板チップを形成することができる。この積層セラミックス基板の分断を格子状に行うことによって個別の積層基板チップを形成することができる。
【００１５】
この実施の形態では、図３（ｂ），（ｃ）に示すように金属膜に溝加工を行い、次いで金属の溝よりセラミックス面に対してスクライブするようにしているため、この間で積層基板を反転させる必要はなく、作業効率を高めることができる。
【００１６】
尚この実施の形態では、図３（ｄ）の工程でスクライブ装置を用いてスクライビングホイールを転動させてスクライブを実行しているが、レーザスクライブ装置によってスクライブを行うようにしてもよい。又図４（ｅ）の工程でブレイク装置を用いてブレイクしているが、これに代えて分断する小片の形状が比較的大きい場合には、作業者が直接手で分断するようにしてもよい。この場合にはテープ１７は不要となる。
【産業上の利用可能性】
【００１７】
本発明はセラミックス基板に金属膜を積層した積層基板をパターニングツールとスクライブ装置を用いて容易に分断することができ、微小な積層基板の製造に有効である。
【符号の説明】
【００１８】
１０  積層セラミックス基板
１１  セラミックス基板
１２  金属膜
１２ａ  溝
１３，１４  スクライビングホイール
１５，１６  支持部材
１７  テープ
１８  ブレイクバー
【図１】
2014067859.tif 000003
【図２】
2014067859.tif 000004
【図３】
2014067859.tif 000005
【図４】
2014067859.tif 000006
【図５】
2014067859.tif 000007